(57)【要約】【課題】軽くて着用感がほとんどなく、履いたままでも入浴や水泳などを行うことに支障を生じない上、浴場やプール等で滑って転倒することを防止できる履物を提供すること。【解決手段】滑り止め用履物２０は、浴場やプール等で滑ることを防止する履物であって、少なくとも底部が、摩擦抵抗性素材により形成されたネット体１０からなる。この滑り止め用履物２０は、履物全体を摩擦抵抗性素材により形成されたネット体１０から構成しても良い。滑り止め用履物２０のネット体１０を構成する線状体の各交叉箇所に前記線状体１１の幅寸法より幅広の小塊を形成しても良い。滑り止め用履物２０の摩擦抵抗性素材をナイロン、天然ゴム又は合成ゴムとしても良い。【選択図】図１
2004174004.tif 000002
【特許請求の範囲】
【請求項１】
浴場やプール等で滑ることを防止する履物であって、少なくとも底部が、摩擦抵抗性素材により形成されたネット体からなることを特徴とする滑り止め用履物。
【請求項２】
履物全体が摩擦抵抗性素材により形成されたネット体からなることを特徴とする請求項１記載の滑り止め用履物。
【請求項３】
ネット体を構成する線状体の各交叉箇所に前記線状体の幅寸法より幅広の小塊が形成されてなることを特徴とする請求項１又は請求項２記載の滑り止め用履物。
【請求項４】
摩擦抵抗性素材がナイロン、天然ゴム又は合成ゴムであることを特徴とする請求項１〜請求項３のいずれかに記載の滑り止め用履物。
【発明の詳細な説明】
【０００１】
【発明の属する技術分野】
本発明は、浴場やプール等で滑って転倒することを防止できる履物に関する。
【０００２】
【従来の技術】
超高齢化社会が進む今日、数多くの老人介護施設やリハビリテーション施設が設立されている。高齢者は足腰が弱っていることが多いため、これら施設内の浴場やリハビリテーション用プールで滑って転倒する事故が多数発生しており、高齢者の増加に伴いこのような事故の増加が予想される。また、学校やスイミングスクール等のプールでは、児童がプールサイドで滑って転倒する事故の発生がある。他方、転倒する事故ではないが、保育園や幼稚園では床で滑らないように上履きを履いた園児が他の園児の足を踏くこともあり、上履きを履いた状態で足を踏まれると素足で足を踏まれる場合より園児に与える痛みが大きく、踏んでも痛みを与えない滑り止め可能な上履きが望まれていた。
【０００３】
従来より、浴場やプール等で滑って転倒することを防止するための様々な提案がなされている。例えば、特許文献１には、少なくとも足の指付根部から中足部を密に包むゴム製の筒状体からなり、該筒状体の指側開口部には少なくとも親指と人指し指との間に入る指仕切片が設けられる水中歩行用足装着具が開示されている。特許文献２には、ゴム部材からなる靴胛被の下面にゴム部材からなる靴底を当接した水中用履物であって、前記靴胛被の下周縁には、透水孔を設けると共に、かつ前記靴底の接地面は平滑な面を有し、靴底の横方向に互いに平行な多数の波状の切込みを設けたことを特徴とする水中用履物が開示されている。また、特許文献３には、風呂場での歩行時の滑りを止めるために足に装着して使用する滑り止め具であって、床面に接触する部位に、足の滑る方向へ延びる毛足群が設けられている滑り止め用サポーターが開示されている。
【０００４】
【特許文献１】特開平１１−２４４４１６号公報
【特許文献２】特開２０００−３３３７０３号公報
【特許文献３】特開２００１−３３３８０１号公報
【０００５】
【発明が解決しようとする課題】
しかしながら、特許文献１あるいは特許文献３に記載の装着具は、足の一部に装着するものであるため、足裏は装着具が装着された箇所と素足の箇所で凹凸が生じ、歩行しづらいという問題があった。また、いずれの装着具や履物も重くて着用感があるため、着用したままで入浴することは煩わしく常用し難いという問題があった。同様の理由から、着用したままでプールで泳ぐことは困難であった。更に、従来の滑り止め用の装着具や履物は、いずれも足の全体あるいは一部を完全に覆ってしまうので、覆われた箇所を浴場で洗うには、いちいち装着具や履物を取り外さなければならず非常に煩雑であるという問題があった。
【０００６】
本発明は、上記事情に鑑みなされたもので、軽くて着用感がほとんどなく、履いたままでも入浴や水泳などを行うことに支障を生じない上、浴場やプール等で滑って転倒することを防止できる履物を提供することを課題とする。
【０００７】
【課題を解決するための手段】
本発明者は、上記課題を解決するために検討を重ね、摩擦抵抗性素材で形成したネット体を用いても浴場等で滑ることを十分に防止できることを見出し、本発明を完成した。
すなわち、本発明は、浴場やプール等で滑ることを防止する履物であって、少なくとも底部が、摩擦抵抗性素材により形成されたネット体からなることを特徴とする滑り止め用履物を要旨とする。この構成の発明によれば、軽くて滑り止め効果のある履物を得ることができる。ここで、摩擦抵抗性素材とは、摩擦係数が高く、滑りにくい素材をいう。
【０００８】
また、上記発明において、履物全体を摩擦抵抗性素材により形成されたネット体で構成しても良い。この構成の発明によれば、より一層軽くて着用感のほとんどない滑り止め効果のある履物を得ることができる。
【０００９】
また、上記の各発明において、ネット体を構成する線状体の各交叉箇所に前記線状体の幅寸法より幅広の小塊を形成しても良い。この構成の発明によれば、ネット体の線状体同士の結合が強固になり、滑り止め用履物を丈夫にでき、また、滑り止め効果を高めることができる。
【００１０】
また、上記の各発明において、摩擦抵抗性素材をナイロン、天然ゴム又は合成ゴムとしても良い。
【００１１】
【発明の実施の形態】
以下、図面を参照しながら本発明を実施の形態により詳細に説明する。図１は、本実施形態の滑り止め用履物２０の斜視図である。図２は、ネット体１０を構成する線状体１１の交叉箇所を平面視した部分拡大図であり、図３は側面視した部分拡大図である。
【００１２】
図１に示すように、滑り止め用履物２０は全体がネット体１０で形成され、上端は踝辺りを覆うように構成されている。滑り止め用履物２０は、後記のように伸縮性がゴム等より少ないナイロン繊維で形成されているので、上端縁に帯状ゴム１３が縫い付けられており、着用時に滑り止め用履物２０が下がらないようなっている。滑り止め用履物２０は、一体で形成されているが、滑り止め用履物を底部を含む下部と上部とから構成し、これらをバイアステープなどで縫合して形成する構成としても良い。また、摩擦抵抗性素材は、上記ナイロン繊維に限定されず、天然ゴム又は合成ゴム等、あるいはその他の摩擦係数が高く滑りにくい素材を広く用いることができる。
【００１３】
ネット体１０は、摩擦抵抗性の高いナイロン繊維から形成されているので、滑り止め用履物２０を着用することにより浴場やプール等で滑ることを防ぐことができる。また、滑り止め用履物２０の底部以外もネット体１０で形成されているので、全体が軽くまた着用感がない。そのため、従来の滑り止め用の装着具や履物では困難であったにも拘わらず、本実施形態の滑り止め用履物２０によれば着用したままでプールで泳ぐこともできる。また、従来の滑り止め用の装着具や履物は取り外さなければ着用箇所を洗うことができなかったのに対し、本実施形態の滑り止め用履物２０は皮膚の大半が露出する上、線状体１１の位置を移動させることが容易なため、着用したままで着用箇所を洗うことができる。
【００１４】
また、ネット体１０を構成する線状体１１の各交叉箇所には、図２、図３に示すように線状体１１の幅寸法より幅広の小塊１２が形成されているので、線状体１１間の結合が強固で丈夫な滑り止め用履物２０を構成できる。また、滑り止め効果を高めることもできる。更に、小塊１２が形成されるため表裏に突起が生じ、付加的効果として足裏側の突起により足裏を刺激し健康に資することもできる。
【００１５】
本発明は、上記の実施形態に限定されるものではなく、種々形態を変更することができる。
（１）滑り止め用履物は、ゴム等伸縮性のある摩擦抵抗性素材で形成されるネット体で構成する場合、フリーサイズとしても良い。
（２）上記実施形態では、靴態様で構成されるものを説明したが、足の甲と踵を支えるサンダル態様に構成しても良い。
【００１６】
【発明の効果】
本発明は、上記のように構成されるため、以下の効果を奏する。
本発明の滑り止め用履物によれば、軽くてほとんど着用感がないので、浴場やプール等で滑って転倒するのを防止できるばかりか、着用したままで泳いだりあるいは着用箇所を洗うこともできる。また、幼稚園や保育所などで園児に着用させることにより、足を踏まれても園児に大きな痛みを与えない滑り止め効果のある上履きを提供できる。
【図面の簡単な説明】
【図１】本実施形態の滑り止め用履物の斜視図である。
【図２】ネット体を構成する線状体の交叉箇所を平面視した部分拡大図である。
【図３】ネット体を構成する線状体の交叉箇所を側面視した部分拡大図である。
【符号の説明】
１０    ネット体
１１    線状体
１２    小塊
２０    滑り止め用履物
【図１】
2004174004.tif 000003
【図２】
2004174004.tif 000004
【図３】
2004174004.tif 000005